(57)【要約】      （修正有）【課題】全方向に揺動可能で、表裏方向にも十分なストロークを確保して弾性的に変位出来るフィット性にすぐれたノーズパッドを提供する。【解決手段】略楕円形の平面形状をなした軟質合成樹脂製のノーズパッド本体１の裏面２の長軸側両端近傍から軟質合成樹脂製の円弧状に弯曲した一対の脚部３を一体的に植設し、脚部の自由端同士を水平腕材４で一体的に連結させ、水平腕材の中央部分上面にボックスを連結させるボックス結合ブロック７を一体的に形成すると共に、ノーズパッド本体の中央部分１０が前方方向に向かって膨出する様に、長軸側を弓形に弯曲して反り返らせた。【選択図】図３
0003221889.tif 000002
【実用新案登録請求の範囲】
【請求項１】
略楕円形の平面形状をなした軟質合成樹脂製のノーズパッド本体の裏面の長軸側両端近傍から軟質合成樹脂製の円弧状に弯曲した一対の脚部が一体的に植設されており、この脚部の自由端同士が水平腕材で一体的に連結され、水平腕材の中央部分上面にボックスを連結させるボックス結合ブロックが一体的に形成されている共に、ノーズパッド本体の中央部分が前方方向に向かって膨出する様に、その長軸側が弓形に弯曲して反り返っていることを特徴とするクッション性にすぐれたメガネフレームのノーズパッド。
【考案の詳細な説明】
【技術分野】
【０００１】
この考案はメガネフレームのノーズパッド、詳しくは、クッション性にすぐれたメガネフレームのノーズパッドに関するものである。
【背景技術】
【０００２】
ノーズパッドは、メガネフレームをメガネ装用者の顔面に保持させる為のメガネフレームに必須の構成部品であり、メガネ装用者の顔面に適合していない場合は、メガネフレームの保持に支障を来たし、メガネフレームのずり落ちなどが生じ、装着感を著しく損ない、視力矯正にも悪影響をもたらすことになる。
【先行技術文献】
【特許文献】
【０００３】
【特許文献１】実用新案登録第３２０８４７５号公報
【非特許文献】
【０００４】
【非特許文献１】なし
【考案の概要】
【考案が解決しようとする課題】
【０００５】
メガネフレームのノーズパッドがその機能を発揮するには、それ自体適度な柔軟性と弾力を持つと共に、メガネフレーム本体から植設されているノーズパッド取付足に対して全方向に自由に揺動出来、一人として同じではないメガネ装用者の鼻梁に正しくフィットさせられることが必要であるが、この要求に応えられる低コストのノーズパッドはなかなか見当たらなかった。
【０００６】
そこで、本考案は登録実用新案第３２０８４７５号として、ノーズパッド取付足に対して全方向に揺動可能であるだけではなく、表裏方向への弾性的変位も可能であるノーズパッドを提案し、製品化にも成功し、好評を得ているが、表裏方向への弾性的な変位に関しては、十分なストロークを確保出来ず、わずかな変位しか行えないので、この点において不満が残っていた。
【０００７】
即ち、この実用新案第３２０８４７５号として提案したノースパッドは、第５図に示す様な側面形状を持ち、板状をなした軟質合成樹脂製のノーズパッド本体１’の裏面２’の対向した両端近傍から、内側に向かって軟質合成樹脂製で略逆Ｊ形を呈した脚部３’を一体的に植設し、対向した前記脚部３’の自由端同士を水平腕材４’で一体的に連結し、水平腕材４’の中央上面にメガネフレームのノーズパッド取付足５の先端に取り付けられているボックス６に結合する為のボックス結合ブロック７を一体的に形成したものであるが、水平腕材４’の底面１３とノーズパッド本体１’の裏面２との間隔Ｘは、全体のプロポーションに比べて狭くならざるを得ず、ボックス６を十分に沈み込ませられず、ノーズパッド本体１’の表裏方向への変位量を十分に確保することが出来なかった。
【０００８】
本考案者は、この登録実用新案第３２０８０７５号として提案したノーズパッドに更に改良を加え、全方向への揺動をスムーズに行えるだけではなく、表裏方向への弾性的な変位の為に十分なストロークを確保し、表裏方向へのスムーズな変位を可能にしたフィット感にすぐれたノーズパッドを開発することに成功し、本考案としてここに提案するものである。
【課題を解決するための手段】
【０００９】
略楕円形の平面形状をなした軟質合成樹脂製のノーズパッド本体の裏面の長軸側両端近傍から軟質合成樹脂製の円弧状に弯曲した一対の脚部を一体的に植設し、この脚部の自由端同士を水平腕材で一体的に連結させ、水平腕材の中央部分上面にボックスを連結させるボックス結合ブロックを一体的に形成すると共に、ノーズパッド本体の中央部分が前方方向に向かって膨出する様に、その長軸側を弓形に弯曲し反り返らせてノーズパッドを構成することにより、上記課題を解決した。
【考案の効果】
【００１０】
水平腕材のボックス結合ブロックをノーズパッド取付足のボックスに挿入結合して使用に供するものであるが、ボックス結合ブロックは脚部を介してノーズパッド本体の裏面から浮いた状態にあるので、ノーズパッド本体は上下左右あらゆる方向に自由に揺動することが出来る。
又、ノーズパッド本体は、その長軸側が弓形に弯曲しており、その裏面も円弧状にカーブし反り返っているので、ボックス結合ブロックの下面から裏面まで十分な間隔が取れ、ノーズパッド本体の表裏方向への変位量も十分確保され、登録実用新案第３２０８４７５号として提案されたノーズパッドに比べ、より大きなストロークでノーズパッド本体を弾性的に沈み込ませることが出来、千差万別一人として同じではないメガネ装用者の鼻梁にノーズパッド本体を無理なく確実にフィットさせ、メガネフレームのずり落ちを防ぎ、正しい位置にメガネフレームを保持させることが出来る効果を有する。
又、外観も洗練されており、低コストで製造出来、耐久性にも高み、高い実用性を有する。
【図面の簡単な説明】
【００１１】
【図１】この考案に係るメガネフレームのノーズパッドの一実施例の斜視図。
【図２】同じく、ノーズパッドをメガネフレームのノーズパッド取付足のボックスに取り付けた状態の斜視図。
【図３】図１に示すノーズパッドの拡大側面図。
【図４】同じく、ボックス結合ブロックがノーズパッド本体の裏面方向に大きく沈み込んだ状態の拡大側面図。
【図５】実用新案登録第３２０８４７５号として提案されたノーズパッドの拡大側面図。
【考案を実施するための形態】
【００１２】
略楕円形の平面形状をなした軟質合成樹脂製のノーズパッド本体の裏面の長軸側両端近傍からの軟質合成樹脂製の円弧状に弯曲した一対の脚部が一体的に植設されており、この脚部の自由端同士が水平腕材で一体的に連結され、水平腕材の中央部分上面にボックスを連結させるボックス結合ブロックが一体的に形成されているノーズパッドにおいて、ノーズパッド本体の中央部分が前方方向に向かって膨出する様に、その長軸側を弓形に弯曲させ反り返らせた点に最大の特徴が存する。
【実施例】
【００１３】
図中１はノーズパッド本体であり、軟質合成樹脂を素材とし、略楕円形の平面形状をなしている。そしてこのノーズパッド本体１の裏面２の長軸ａ側の両端近傍からは、軟質合成樹脂製で円弧状に弯曲した一対の脚部３，３が一体的に植設されており、この脚部３，３の自由端同士は水平腕材４で連結されており、この水平腕材４の中央部分上面には、図示を省略したメガネフレームから延設されているノーズパッド取付足５の先端に設けられたボックス６へ結合されるボックス結合ブロック７が一体的に取り付けられている。
図中、８及び９はボックス６とボックス結合ブロック７との結合の際に用いる貫通孔である。
なお、ノーズパッド本体１、脚部２、水平腕材４、ボックス結合ブロック７はすべて軟質合成樹脂により一体的に形成されているが、弾力性、柔軟性の点からポリエステルやポリエチレンなどの軟質エラストマーが好適に使用される。
又、ノーズパッド本体１は、その中央部分１０が前方方向（図３及び図４において下方）に向かって膨出する様に、その長軸ａ側が弓形に弯曲しており、裏面２も当然円弧状にカーブし反り返っており、ボックス結合ブロック７の下面１２から裏面２表面までの間隔Ｙは全体のプロポーションにおいて、十分な大きさが確保されている。
【００１４】
この実施例は上記の通りの構成を有するものであり、図２に示す様に、水平腕材４のボックス結合ブロック７をノーズパッド取付足５のボックス６に挿入結合して使用に供するものであるが、ボックス結合ブロック７は脚部３を介してノーズパッド本体１の裏面２から浮いた状態にあるので、ノーズパッド本体１は上下左右あらゆる方向に自由に揺動することが出来る。
又、ノーズパッド本体１は、その長軸９側が弓形に弯曲しており、その裏面２も円弧状にカーブし反り返っており、ボックス結合ブロック７の下面１２から裏面２まで十分な間隔Ｙが取れ、ノーズパッド本体１の表裏方向への変位量も十分確保され、登録実用新案第３２０８４７５号として提案されたものを含め、従来のノーズパッドに比べ、より大きなストロークでノーズパッド本体１を弾性的に沈み込ませることが出来、千差万別一人として同じではないメガネ装用者の鼻梁にノーズパッド本体１を無理なく確実にフィットさせ、メガネフレームのずり落ちを防ぎ、正しい位置にメガネフレームを保持させることが出来る効果を有する。
又、外観も洗練されており、低コストで製造出来、耐久性にも高み、高い実用性を有する。
【産業上の利用可能性】
【００１５】
視力矯正用のメガネフレームだけではなく、サングラスや作業用保護メガネなどのにも当然利用可能である。
【符号の説明】
【００１６】
１．ノーズパッド本体
２．裏面
３．脚部
４．水平腕材
５．ノーズパッド取付足
６．ボックス
７．ボックス結合ブロック
８．貫通孔
９．貫通孔
１０．中央部分
１２．下面
１３．底面
【図１】
0003221889.tif 000003
【図２】
0003221889.tif 000004
【図３】
0003221889.tif 000005
【図４】
0003221889.tif 000006
【図５】
0003221889.tif 000007